(57)【要約】      （修正有）【課題】リモートコントロール装置の基本機能に影響を与えることなく、素早く上カバーを取り外すことができ、取り外した後、新しいカバーを迅速に取り付けることができる固定構造、及びリモートコントロール装置を提供する。【解決手段】上カバーと下カバーを含む固定構造であって、下カバー１１は、第１底板と、第１底板の縁部を囲んで設けられた第１側壁とを含み、第１側壁の第１底板から離れた一端部に第１階段が設けられ、第１階段は、第１突出部および第１凹部を含み、第１凹部は、第１突出部に隣接して設置され、上カバー１２は、第２底板と、第２底板の縁部を囲んで設けられた第２側壁とを含み、第２側壁の第２底板から離れた一端部に第２階段が設けられ、第２階段は第２突出部および第２凹部を含み、第１階段は、第２階段に着脱可能にスナップフィットされ、第２突出部は第１凹部内に設置される。リモートコントロール装置は、位置決め板１４と機能板１９をさらに含む。【選択図】図３
0003229688.tif 000002
【実用新案登録請求の範囲】
【請求項１】
上カバーと下カバーを含む固定構造であって、
前記下カバーは、第１底板と、前記第１底板の縁部を囲んで設けられた第１側壁とを含み、前記第１側壁の前記第１底板から離れた一端部に第１階段が設けられており、前記第１階段は、第１突出部および第１凹部を含み、前記第１凹部は、前記第１突出部に隣接して設置され、前記上カバーは、第２底板と、前記第２底板の縁部を囲んで設けられた第２側壁とを含み、前記第２側壁の前記第２底板から離れた一端部に第２階段が設けられており、前記第２階段は第２突出部および第２凹部を含み、前記第１階段は、前記第２階段に着脱可能にスナップフィットされ、前記第２突出部は前記第１凹部内に設置されることを特徴とする固定構造。
【請求項２】
前記上カバーと前記下カバーはスナップフィットして収容キャビティを形成し、前記第２突出部は前記収容キャビティに隣接し、前記固定構造は位置決め板をさらに含み、前記位置決め板は前記収容キャビティ内に設けられ、前記位置決め板は前記第２側壁に接触して当接し、前記位置決め板は前記第２底板と前記第２階段の間に位置することを特徴とする請求項１に記載の固定構造。
【請求項３】
前記下カバーは、少なくとも１つの位置決め柱をさらに備え、前記位置決め柱は、前記第１底板から前記第２底板に向かう方向に沿って延びることを特徴とする請求項２に記載の固定構造。
【請求項４】
前記位置決め板は少なくとも１つの第１位置決め溝を含み、前記第１位置決め溝は前記位置決め板から前記第１底板に向かって形成され、前記位置決め柱の少なくとも一部は前記第１位置決め溝に収容され、且つ前記第１位置決め溝と係合していることを特徴とする請求項３に記載の固定構造。
【請求項５】
機能板と請求項１〜４のいずれかに記載の固定構造とを備えるリモートコントロール装置であって、
前記機能板は前記収容キャビティ内に設置され、前記機能板は前記位置決め板と前記下カバーとの間に設置されることを特徴とするリモートコントロール装置。
【請求項６】
前記機能板には、前記機能板を貫通する複数の位置決め孔が設けられており、前記位置決め柱は、前記位置決め孔を通過して前記第１位置決め溝内に延びていることを特徴とする請求項５に記載のリモートコントロール装置。
【請求項７】
前記リモートコントロール装置は、少なくとも１つの位置決めボルトをさらに含み、前記下カバーは、少なくとも１つの第２位置決め溝をさらに含み、前記位置決めボルトは、第１端部および第２端部を含み、前記第１端部は、前記位置決め孔を通過して前記第２位置決め溝にスナイプフィットされ、前記位置決めボルトの少なくとも一部は前記第２位置決め溝内に収容され、前記第２端部の前記機能板に平行な方向における断面の最大幅は、前記位置決め孔の前記機能板に平行な方向における断面の最小幅よりも大きく、前記第１端部および前記第２端部は、前記機能板の反対側の両側に位置することを特徴とする請求項６に記載のリモートコントロール装置。
【請求項８】
前記機能板は回路板であり、前記機能板は前記機能板上に設けられた論理回路、信号送信部、制御スイッチを含み、前記制御スイッチは異なる動作状態になるように前記論理回路を制御し、
前記論理回路は、異なる動作状態に応じて信号送信部を制御して、異なる制御信号を送信することを特徴とする請求項７に記載のリモートコントロール装置。
【請求項９】
前記位置決め板と前記機能板は互いに対向して設置され、前記機能板は前記位置決め板の前記上カバーから離れた側に設置され、前記位置決め板には信号送信孔が開設され、前記信号送信部は前記信号送信孔に対応して設けられていることを特徴とする請求項８に記載のリモートコントロール装置。
【請求項１０】
前記位置決め板は、前記位置決め板を貫通する制御孔をさらに含み、前記制御孔は、前記制御スイッチに対応して設けられ、前記リモートコントロール装置は、制御ボタンをさらに含み、前記制御ボタンは、前記制御孔内に設置され、前記制御ボタンは第３端部および第４端部を含み、前記第３端部は前記機能板と当接し、且つ前記制御スイッチに電気的に接続され、前記第４端部は前記上カバーと当接し、前記上カバーは押し当領域を含み、前記第４端部は前記押し当領域と接触し、
前記押し当領域は変形可能な材料であり、前記第４端部は前記押し当領域に近い側に変形可能な材料が設置されていることを特徴とする請求項９に記載のリモートコントロール装置。
【考案の詳細な説明】
【技術分野】
【０００１】
本考案は、固定構造及び前記固定構造を適用したリモートコントロール装置に関する。
【背景技術】
【０００２】
従来の固定構造のほとんどはロックネジで固定されているが、このタイプの構造では、取り外す時に道具使用して取り外す作業を支援する必要があるため、取り外す作業全体が不便になり、また、ほかのタイプとして、係合の方法で緊密に結合されるが、このタイプの固定方法も取り外しが難しくなっている。上記の問題を解決するのが、当業者によって検討される問題である。
【考案の概要】
【考案が解決しようとする課題】
【０００３】
上記問題に鑑みて、本考案は、固定構造及び前記固定構造を適用したリモートコントロール装置を提供する。
【課題を解決するための手段】
【０００４】
上カバーと下カバーを含む固定構造であって、前記下カバーは、第１底板と、前記第１底板の縁部を囲んで設けられた第１側壁とを含み、前記第１側壁の前記第１底板から離れた一端部に第１階段が設けられており、前記第１階段は、第１突出部および第１凹部を含み、前記第１凹部は、前記第１突出部に隣接して設置され、前記上カバーは、第２底板と、前記第２底板の縁部を囲んで設けられた第２側壁とを含み、前記第２側壁の前記第２底板から離れた一端部に第２階段が設けられており、前記第２階段は第２突出部および第２凹部を含み、前記第１階段は、前記第２階段に着脱可能にスナップフィットされ、前記第２突出部は前記第１凹部内に設置される。
【０００５】
さらに、前記上カバーと前記下カバーはスナップフィットして収容キャビティを形成し、前記第２突出部は前記収容キャビティに隣接し、前記固定構造は位置決め板をさらに含み、前記位置決め板は前記収容キャビティ内に設けられ、前記位置決め板は前記第２側壁に接触して当接（中国語：抵持）し、前記位置決め板は前記第２底板と前記第２階段の間に位置する。
【０００６】
さらに、前記下カバーは、前記位置決め柱をさらに備え、前記位置決め柱は、前記第１底板から前記第２底板に向かう方向に向かって延びる。
【０００７】
さらに、前記位置決め板は少なくとも１つの第１位置決め溝を含み、前記第１位置決め溝は前記位置決め板から前記第１底板に向かって形成され、前記位置決め柱の少なくとも一部は前記第１位置決め溝に収容され、前記第１位置決め溝と係合されている。
【０００８】
機能板と前記固定構造とを備えるリモートコントロール装置であって、前記機能板は前記収容キャビティ内に設置され、前記機能板は前記位置決め板と前記下カバーとの間に設置される。
【０００９】
さらに、前記機能板には、前記機能板を貫通する複数の位置決め孔が設けられており、前記位置決め柱は、前記位置決め孔を通過して前記第１位置決め溝内に延びている。
【００１０】
さらに、前記リモートコントロール装置は、少なくとも１つの位置決めボルトをさらに含み、前記下カバーは、少なくとも１つの第２位置決め溝をさらに含む。前記位置決めボルトは、第１端部および第２端部を含み、前記第１端部は、前記位置決め孔を通過して前記第２位置決め溝にスナイプフィットされ、前記位置決めボルトの少なくとも一部は前記第２位置決め溝内に収容され、前記第２端部の前記機能板に平行な方向における断面の最大幅は、前記位置決め孔の前記機能板に平行な方向における断面の最小幅よりも大きく、前記第１端部および前記第２端部は、前記機能板の反対側の両側に位置する。
【００１１】
さらに、前記機能板は回路板であり、前記機能板は前記機能板上に設けられた論理回路、信号送信部、制御スイッチを含み、前記制御スイッチは異なる動作状態になるように前記論理回路を制御する。前記論理回路は、異なる動作状態に応じて信号送信部を制御して、異なる制御信号を送信する。
【００１２】
さらに、前記位置決め板と前記機能板は互いに対向して設置され、前記機能板は前記位置決め板の前記上カバーから離れた側に設置され、前記位置決め板には信号送信孔が開設され、前記信号送信部は前記信号送信孔に対応して設けられている。
【００１３】
さらに、前記位置決め板は、前記位置決め板を貫通する制御孔をさらに含み、前記制御孔は、前記制御スイッチに対応して設けられ、前記リモートコントロール装置は、制御ボタンをさらに含み、前記制御ボタンは、前記制御孔内に設置され、前記制御ボタンは第３端部および第４端部を含み、前記第３端部は前記機能板と当接し、且つ前記制御スイッチに電気的に接続され、前記第４端部は前記上カバーと当接し、前記上カバーは押し当領域を含み、前記第４端部は前記押し当領域と接触する。前記押し当領域は変形可能な材料であり、前記第４端部は前記押し当領域に近い側に変形可能な材料が設置されている。
【考案の効果】
【００１４】
位置決め板と下カバーは互いに連携して機能板を収容して固定し、上カバーと下カバーは迅速に取り外すことができ、取り外す際に、機能板と位置決め板に影響を与えず、リモートコントロール装置の基本機能にも影響を与えることなく、素早く上カバーを取り外すことができ、取り外した後、新しいカバーまたは異なる色のカバーを迅速に取り付けることができる。
【図面の簡単な説明】
【００１５】
【図１】図１は、本考案のリモートコントロール装置の概略斜視図である。
【図２】図２は、本考案のリモートコントロール装置の概略斜視図である。
【図３】図３は、本考案のリモートコントロール装置の概略分解図である。
【図４】図４は、本考案のリモートコントロール装置の概略断面図である。
【考案を実施するための形態】
【００１６】
以下の具体的な実施形態と上記の図面と結合して、本考案についてさらに説明する。
【００１７】
以下の説明では、本考案をより完全に説明するために図面を参照する。図面は、本考案の例示的な実施形態を示す。とろろで、本考案は、多くの異なる形態で実施することができ、本明細書に記載される例示的な実施形態に限定されると解釈されるべきではない。これらの例示的な実施形態は、本考案を徹底的かつ完全に記載し、本考案の範囲を当業者へ完全に伝えるために提供される。同様の符号は、同じまたは類似のコンポーネントを示す。
【００１８】
本明細書で使用される用語は、特定の例示的な実施形態を説明することのみを目的としており、本考案を限定することを意図するものではない。本明細書で使用する場合、単数形「一（ａ）」、「一つ（ａｎ）」、および「当該（ｔｈｅ）」は、文脈からそうでないことが明確に示されていない限り、複数形も含むことを意図している。さらに、本明細書で使用される場合、用語「含む」および／または「含む」、「含む」および／または「含む」、「有する」および／または「有する」、整数、ステップ、操作、要素、および／またはコンポーネントについて、１つ以上の他の機能、領域、整数、ステップ、操作、要素、コンポーネント、および／またはグループの存在または追加を排除しない。
【００１９】
本明細書で使用されるすべての用語（技術用語および科学用語を含む）は、特に定義されない限り、本出願が属する技術分野の当業者によって一般に理解されるのと同じ意味を有する。さらに、一般的に使用される辞書で定義されている用語は、関連技術および本考案の文脈におけるそれらの意味と一致する意味を有すると解釈されるべきであり、理想的または過度に形式的な意味で解釈されない。
【００２０】
以下、図面を参照しながら、例示的な実施形態を説明する。図面に描かれている構成要素は必ずしも縮尺通りに示されているわけではないことに注意すべきである。また、同一または類似の構成要素には、同一または類似の符号または類似の技術用語が与えられる。
【００２１】
以下、上記の図面を参考して本考案の具体的な実施形態について詳細に説明する。
【００２２】
図１〜図４に示すように、リモートコントロール装置１は、固定構造１０及び機能板１９を含み、固定構造１０は、下カバー１１及び上カバー１２を含み、上カバー１２と下カバー１１とがスナップフィットすることにより収容キャビティ１３を形成する。
【００２３】
下カバー１１は、第１底板１１１と、第１底板１１１の縁部を囲んで設けられた第１側壁１１２とを含む。第１側壁１１２の第１底板１１１から離れた一端部に第１階段１１０が設置されており、第１階段１１０は第１突出部１１０１と第１凹部１１０２を含み、第１凹部１１０２は第１突出部１１０１に隣接して設置されている。第１側壁１１２は、第１底板１１１の縁部を囲んで設置され、端と端が接続されている。第１側壁１１２は、端と端が順に接続された複数のサブ側壁によって囲まれて形成されてもよいし、第１側壁１１２は、連続した完全な円弧状の側壁であってもよい。ある実施形態では、第１側壁１１２は第１底板１１１に垂直に設置されてもよく、第１側壁１１２と第１底板１１１は一体化構造であってもよい。ある実施形態では、第１階段１１０は、第１側壁１１２と一体化構造であってもよいし、第１階段１１０は、第１側壁１１２における第１底板１１１から離れた端部であってもよいし、第１突出部１１０１の厚さは第１側壁１１２のその他の領域の厚さより小さい。第１凹部１１０２は、第１突出部１１０１に隣接している。
【００２４】
下カバー１１は、少なくとも１つの位置決め柱１１３をさらに含み、位置決め柱１１３は、第１底板１１１から第２底板１２１に向かって延びている。位置決め柱１１３は、くさび形構造であってもよいし、位置決め柱１１３における第１底板１１１から離れた一端部の断面直径は、第１底板１１１に近い一端部の断面直径よりも小さい。ある実施形態では、位置決め柱１１３の数は２つであり、２つの位置決め柱１１３は、それぞれ第１底板１１１表面の反対側の２つの角に設置される。ある実施形態では、位置決め柱１１３の長さは、第１側壁１１２の長さよりも長い。
【００２５】
上カバー１２は、第２底板１２１と、第２底板１２１の縁部を囲んで設けられた第２側壁１２２とを含む。第２側壁１２２の第２底板１２１から離れた一端部に第２階段１２０が設置されており、第２階段は第２突出部１２０１と第２凹部１２０２を含み、第２凹部１２０２は第２突出部１２０１に隣接して設置されている。第２側壁１２２は、第２底板１２１の縁部を囲んで設置され、端と端が接続されている。第２側壁１２２は、端と端が順に接続された複数のサブ側壁によって囲まれて形成されてもよいし、第２側壁１２２は、連続した完全な円弧状の側壁であってもよい。ある実施形態では、第２側壁１２２は第２底板１２１に垂直に設置されてもよいし、第２側壁１２２と第２底板１２１は一体化構造であってもよい。ある実施形態では、第２階段１２０は、第２側壁１２２と一体化構造であってもよいし、第２階段１２０は、第２側壁１２２における第２底板１２１から離れた端部であってもよいし、第２突出部１２０１の厚さは第２側壁１２２のその他の領域の厚さより小さい。第２凹部１２０２は、第１突出部１１０１に隣接している。
【００２６】
第１段階１１０と第２階段１２０は着脱可能にスナップフィットされ、第２突出部１２０１は第１凹部１１０２内に設置され、第２突出部１２０１は収容キャビティ１３に隣接している。
【００２７】
固定構造１０は、収容キャビティ１３内に設置された位置決め板１４をさらに含み、位置決め板１４は、第２側壁１２２に接触して当接する。位置決め板１４は、第２底板１２１と第２階段１２０との間に位置し、位置決め板１４の直径は、上カバー１２の第２側壁１２２に囲まれた収容領域の直径よりも大きくてもよい。位置決め板１４は、第２階段１２２と第１階段１１０が互いにしっかりと当接するように第２側壁１２２を押す。位置決め板１４は少なくとも１つの第１位置決め溝１４１を含み、第１位置決め溝１４１は位置決め板１４から第１底板１１１に向かって伸びるように形成され、位置決め柱１１３の少なくとも一部は第１位置決め溝１４１に収容され、且つ第１位置決め溝１４１と係合している。ある実施形態において、第１位置決め溝１４１は、中部が内側へ凹み且つ縁部が突出した収容構造であり、位置決め柱１１３における第１底板１１１から離れた一端部を第１位置決め溝１４１に設置することにより固定を実現する。
【００２８】
機能板１９は収容キャビティ１３内に設置され、機能板１９は位置決め板１４と下カバー１１との間に設置されてもよい。ある実施形態において、機能板１９は回路板であり、機能板１９は機能板１９上に設けられた論理回路１９２、信号送信部１９３、制御スイッチ１９４を含み、制御スイッチ１９４は異なる動作状態になるように論理回路１９２を制御する。論理回路１９２は、異なる動作状態に応じて信号送信部１９３を制御して、異なる制御信号を送信する。
【００２９】
機能板１９には、機能板１９を貫通する複数の位置決め孔１９１が設けられており、位置決め柱１１３は、位置決め孔１９１を通過して第１位置決め溝１４１内に延びている。リモートコントロール装置１は、少なくとも１つの位置決めボルト１８をさらに含み、下カバー１１は、少なくとも１つの第２位置決め溝１１４をさらに含む。ある実施形態において、第２位置決め溝１１４は、中部が内側へ凹み且つ縁部が突出した収容構造である。位置決めボルト１８は、第１端部１８１および第２端部１８２を含み、第１端部１８１は、位置決め孔１９１を通過して第２位置決め溝１１４にスナイプフィットされ、位置決めボルト１８の少なくとも一部は第２位置決め溝１１４内に収容され、第２端部１８２の機能板１９に平行な方向における断面の最大幅は、位置決め孔１９１の機能板１９に平行な方向における断面の最小幅よりも大きい。第１端部１８１および第２端部１８２は、機能板１９の反対側の両側に位置する。機能板１９と下カバー１１との固定は、位置決めボルト１８を位置決め孔１９１と下カバー１１に接続することにより実現される。
【００３０】
位置決め板１４と機能板１９は互いに対向して設置され、機能板１９は位置決め板１４の上カバー１２から離れた側に設置され、位置決め板１４には信号送信孔１４２が開設され、信号送信部１９３は信号送信孔１４２に対応して設けられている。位置決め板１４は、位置決め板１４を貫通する制御孔１４３をさらに含み、制御孔１４３は、制御スイッチ１９４に対応して設けられる。
【００３１】
リモートコントロール装置１は、制御ボタン１６をさらに含み、制御ボタン１６は、制御孔１４３内に設置され、制御ボタン１６は第３端部１６および第４端部１６２を含み、第３端部１６１は機能板１９と当接し、且つ制御スイッチ１９４に電気的に接続され、第４端部１６２は上カバー１２２と当接し、上カバー１２は押し当領域１２５を含み、第４端部１６２は押し当領域１２５と接触する。押し当領域１２５は変形可能な材料であり、第４端部１６２は押し当領域１２５に近い側に変形可能な材料が設置されている。ある実施形態では、第３端部１６１は円柱状であり、第４端部１６２は漏斗状である。漏斗状の第４端部１６２の大きさが小さい方の一端部は第３端部１６１に接続され、漏斗状の第４端部１６２の大きさが大きい方の一端部は、上カバー１２に対向して設置される。変形可能な材料は、押し当領域１２５と接触し、押し当領域１２５を押すことにより、弾性部材１６３は変形を引き起こし、電気信号を生成することができる。当該電気信号は制御スイッチ１９４に送信され、前記弾性部材１６３は、それに作用する外力が引き抜かれるかまたは減少すると、所定の形状に復元するように逆に変形することができる。押し当領域を押すことにより、機能板１９上の論理回路１９２を制御して異なる信号を生成し、さらに信号送信部１９３を制御して異なる制御信号を生成し、前記制御信号を制御孔１４３から外部に送信することができる。
【００３２】
位置決め板１４と下カバー１１は互いにロックして機能板１９を収容して固定し、上カバー１２と下カバー１１は迅速に取り外すことができ、取り外す際に、機能板１９と位置決め板１４に影響を与えず、リモートコントロール装置１の基本機能にも影響を与えることなく、素早く上カバー１２を取り外すことができ、取り外した後、新しいカバーまたは異なる色のカバー１２を迅速に取り付けることができる。
【００３３】
以上、本考案の具体的な実施形態について図面を参照しながら説明している。しかしながら、当業者は、本考案の精神および範囲から逸脱することなく、本考案の特定の実施形態に対して様々な変更および置換を行うことができることを理解することができる。これらの変更および置換は、すべて現在の実用新案の請求範囲によって定義された範囲内に含まれている。
【符号の説明】
【００３４】
１      リモートコントロール装置
１０      固定構造
１１      下カバー
１１０    第１段階
１１０１  第１突出部
１１０２  第１凹部
１１１    第１底板
１１２    第１側壁
１１３    位置決め柱
１１４    第２位置決め溝
１２      上カバー
１２０    第２段階
１２０１  第２突出部
１２０２  第２凹部
１２１    第２底板
１２２    第２側壁
１２５    押し当領域
１３      収容キャビティ
１４      位置決め板
１４１    第１位置決め溝
１４２    信号送信孔
１４３    制御孔
１６      制御ボタン
１６１    第３端部
１６２    第４端部
１６３    弾性部材
１８      位置決めボルト
１８１    第１端部
１８２    第２端部
１９      機能板
１９１    位置決め孔
１９２    論理回路
１９３    信号送信部
１９４    制御スイッチ
【図１】
0003229688.tif 000003
【図２】
0003229688.tif 000004
【図３】
0003229688.tif 000005
【図４】
0003229688.tif 000006
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
上カバーと下カバーを含む固定構造であって、
前記下カバーは、第１底板と、前記第１底板の縁部を囲んで設けられた第１側壁とを含み、前記第１側壁の前記第１底板から離れた一端部に第１階段が設けられており、前記第１階段は、第１突出部および第１凹部を含み、前記第１凹部は、前記第１突出部に隣接して設置され、前記上カバーは、第２底板と、前記第２底板の縁部を囲んで設けられた第２側壁とを含み、前記第２側壁の前記第２底板から離れた一端部に第２階段が設けられており、前記第２階段は第２突出部および第２凹部を含み、前記第１階段は、前記第２階段に着脱可能にスナップフィットされ、前記第２突出部は前記第１凹部内に設置されることを特徴とする固定構造。
【請求項２】
前記上カバーと前記下カバーはスナップフィットして収容キャビティを形成し、前記第２突出部は前記収容キャビティに隣接し、前記固定構造は位置決め板をさらに含み、前記位置決め板は前記収容キャビティ内に設けられ、前記位置決め板は前記第２側壁に接触して当接し、前記位置決め板は前記第２底板と前記第２階段の間に位置することを特徴とする請求項１に記載の固定構造。
【請求項３】
前記下カバーは、少なくとも１つの位置決め柱をさらに備え、前記位置決め柱は、前記第１底板から前記第２底板に向かう方向に沿って延びることを特徴とする請求項２に記載の固定構造。
【請求項４】
前記位置決め板は少なくとも１つの第１位置決め溝を含み、前記第１位置決め溝は前記位置決め板から前記第１底板に向かって形成され、前記位置決め柱の少なくとも一部は前記第１位置決め溝に収容され、且つ前記第１位置決め溝と係合していることを特徴とする請求項３に記載の固定構造。
【請求項５】
機能板と請求項４に記載の固定構造とを備えるリモートコントロール装置であって、
前記機能板は前記収容キャビティ内に設置され、前記機能板は前記位置決め板と前記下カバーとの間に設置されることを特徴とするリモートコントロール装置。
【請求項６】
前記機能板には、前記機能板を貫通する複数の位置決め孔が設けられており、前記位置決め柱は、前記位置決め孔を通過して前記第１位置決め溝内に延びていることを特徴とする請求項５に記載のリモートコントロール装置。
【請求項７】
前記リモートコントロール装置は、少なくとも１つの位置決めボルトをさらに含み、前記下カバーは、少なくとも１つの第２位置決め溝をさらに含み、前記位置決めボルトは、第１端部および第２端部を含み、前記第１端部は、前記位置決め孔を通過して前記第２位置決め溝にスナイプフィットされ、前記位置決めボルトの少なくとも一部は前記第２位置決め溝内に収容され、前記第２端部の前記機能板に平行な方向における断面の最大幅は、前記位置決め孔の前記機能板に平行な方向における断面の最小幅よりも大きく、前記第１端部および前記第２端部は、前記機能板の反対側の両側に位置することを特徴とする請求項６に記載のリモートコントロール装置。
【請求項８】
前記機能板は回路板であり、前記機能板は前記機能板上に設けられた論理回路、信号送信部、制御スイッチを含み、前記制御スイッチは異なる動作状態になるように前記論理回路を制御し、
前記論理回路は、異なる動作状態に応じて信号送信部を制御して、異なる制御信号を送信することを特徴とする請求項７に記載のリモートコントロール装置。
【請求項９】
前記位置決め板と前記機能板は互いに対向して設置され、前記機能板は前記位置決め板の前記上カバーから離れた側に設置され、前記位置決め板には信号送信孔が開設され、前記信号送信部は前記信号送信孔に対応して設けられていることを特徴とする請求項８に記載のリモートコントロール装置。
【請求項１０】
前記位置決め板は、前記位置決め板を貫通する制御孔をさらに含み、前記制御孔は、前記制御スイッチに対応して設けられ、前記リモートコントロール装置は、制御ボタンをさらに含み、前記制御ボタンは、前記制御孔内に設置され、前記制御ボタンは第３端部および第４端部を含み、前記第３端部は前記機能板と当接し、且つ前記制御スイッチに電気的に接続され、前記第４端部は前記上カバーと当接し、前記上カバーは押し当領域を含み、前記第４端部は前記押し当領域と接触し、
前記押し当領域は変形可能な材料であり、前記第４端部は前記押し当領域に近い側に変形可能な材料が設置されていることを特徴とする請求項９に記載のリモートコントロール装置。